(57)【要約】【課題】遊泳の自由度を向上させることが可能なガス供給装置を実現する。【解決手段】ガス供給装置１は、酸素を含有するガスを収容する収容室２１を有する容器本体２と、収容室２１に収容されたガスの圧力を調整すると共に調整されたガスを当該収容室２１の外部に吐出する吐出部材３と、を備えている。容器本体２と吐出部材３とは、互いに連結されて一体化されている。そして、ガス供給装置１は、容器本体２を使用者の腕部に固定するための固定部材を更に備えている。【選択図】図１
2020165497.tif 000002
【特許請求の範囲】
【請求項１】
酸素を含有するガスを収容する収容室を有する容器本体と、前記収容室に収容された前記ガスの圧力を調整すると共に調整された前記ガスを当該収容室の外部に吐出する吐出部材と、を備えて、使用者に前記ガスを供給するガス供給装置であって、
前記容器本体と前記吐出部材とは、互いに連結されて一体化され、
前記容器本体を使用者の腕部に固定するための固定部材を更に備えたガス供給装置。
【請求項２】
前記吐出部材は、使用者が口にくわえることが可能な給気部を備え、
前記給気部は、前記容器本体と前記吐出部材との連結方向に交差する方向に向かって突出するように設けられており、
前記給気部は、姿勢変更機構を有し、当該姿勢変更機構によって、突出方向の変更及び当該突出方向周りの回転の少なくとも一方の姿勢変更が可能に構成されている請求項１に記載のガス供給装置。
【請求項３】
前記吐出部材は、前記収容室の内部の圧力を表示する圧力表示部を備え、
前記圧力表示部は、前記給気部と並んで配置されている請求項２に記載のガス供給装置。
【請求項４】
前記固定部材は、可撓性を有すると共に、前記容器本体が挿入される容器本体挿入部と、前記腕部が挿入される腕部挿入部と、を備え、
前記容器本体挿入部は、前記容器本体が有する前記収容室の数に対応して設けられている請求項１から３のいずれか一項に記載のガス供給装置。
【請求項５】
前記容器本体挿入部は、前記容器本体の周囲を覆う筒状に形成されると共に、その内部に前記容器本体を挿入可能に構成され、
前記腕部挿入部は、前記腕部の周囲を覆う筒状に形成されると共に、その内部に前記腕部を挿入可能に構成され、
前記容器本体挿入部の軸心と前記腕部挿入部の軸心とが互いに平行となるように、前記容器本体挿入部と前記腕部挿入部とが並んで配置されている請求項４に記載のガス供給装置。
【請求項６】
前記容器本体は、前記収容室を複数並列に並べられた状態で有し、
前記容器本体挿入部は、複数の前記収容室に応じて複数形成されている請求項４又は５に記載のガス供給装置。
【請求項７】
前記腕部挿入部は、内周長を調整する調整部を備えている請求項４から６のいずれか一項に記載のガス供給装置。
【発明の詳細な説明】
【技術分野】
【０００１】
本発明は、酸素を含有するガスを使用者に供給するガス供給装置に関する。
【背景技術】
【０００２】
このようなガス供給装置が、例えば、下記の特許文献１（実公平７−０１７３１６号公報）に開示されている。特許文献１のガス供給装置〔Ａ〕は、小型で軽量のガスカートリッジ〔３〕が用いられることにより簡易的に構成されている。特許文献１には、このようなガス供給装置〔Ａ〕を、防災用や医療用の他、潜水用として用いることができる点が記載されている。
【先行技術文献】
【特許文献】
【０００３】
【特許文献１】実公平７−０１７３１６号公報
【発明の概要】
【発明が解決しようとする課題】
【０００４】
ところで、近年、水中を撮影可能な技術の発展により（例えば、水中撮像機能を有するスマートフォンの普及等により）、海水浴場などの現場において海中での写真撮影の需要が高まっており、ある程度の時間継続して海中を遊泳可能とすることが求められている。しかしながら、特許文献１に開示されているようなガス供給装置を潜水用として用いた場合、使用者は、ガス供給装置からガスの供給を受ける際には当該ガス供給装置を口にくわえた状態となり、ガスの供給を受けない際には当該ガス供給装置を口から離して手で持つ状態となる。そのため、使用者がガスの供給を受けない際には、ガス供給装置を持つ手に自由が利かず、遊泳に支障をきたす可能性がある。一方、使用者が、ガス供給装置を手で持つことなく常に口でくわえた状態を維持しようとすると、水の抵抗に耐えきれずにガス供給装置を口から離してしまう可能性が高く、この場合にも、遊泳に支障をきたす可能性がある。
【０００５】
上記実情に鑑み、遊泳の自由度を向上させることが可能なガス供給装置の実現が望まれている。
【課題を解決するための手段】
【０００６】
本開示に係るガス供給装置は、
酸素を含有するガスを収容する収容室を有する容器本体と、前記収容室に収容された前記ガスの圧力を調整すると共に調整された前記ガスを当該収容室の外部に吐出する吐出部材と、を備えて、使用者に前記ガスを供給するガス供給装置であって、
前記容器本体と前記吐出部材とは、互いに連結されて一体化され、
前記容器本体を使用者の腕部に固定するための固定部材を更に備えていることを特徴とする。
【０００７】
本構成によれば、固定部材によって使用者の腕部に容器本体および吐出部材を固定することができる。これにより、使用者は、ガスの供給を受けたい場合には、腕部を動かして容器本体と一体となっている吐出部材を口に近づけることにより、当該吐出部材から吐出されるガスの供給を受けることができる。そして、ガスの供給を受けない場合には、容器本体が固定されている腕部を含め、両腕を自由に使うことができ、遊泳の自由度を向上させることが可能となる。
【０００８】
ここで、
前記吐出部材は、使用者が口にくわえることが可能な給気部を備え、
前記給気部は、前記容器本体と前記吐出部材との連結方向に交差する方向に向かって突出するように設けられており、
前記給気部は、姿勢変更機構を有し、当該姿勢変更機構によって、突出方向の変更及び当該突出方向周りの回転の少なくとも一方の姿勢変更が可能に構成されていると好適である。
【０００９】
吐出部材と一体となっている容器本体を使用者の腕部に固定させる構成において、吐出部材に備えられた給気部からガスの供給を受ける際には、使用者は、腕部を動かして給気部を口に近づける必要がある。ここで、使用者の腕部の長さは人それぞれであり、腕部の長さによっては、給気部を口に近づけた際の当該腕部の角度が異なることになる。そのため、使用者によっては、ガスの供給を受けようとする場合に給気部の姿勢が給気に適切な姿勢とならない場合がある。本構成によれば、給気部が姿勢変更機構によってその姿勢を変更可能であるため、腕部の長さが異なる使用者のそれぞれについて、給気部を適切な姿勢にすることが可能となる。
【００１０】
また、
前記吐出部材は、前記収容室の内部の圧力を表示する圧力表示部を備え、
前記圧力表示部は、前記給気部と並んで配置されていると好適である。
【００１１】
本構成によれば、圧力表示部を給気部に近づけて配置することができる。これにより、使用者は、例えば、給気部からガスの供給を受ける一連の動作において、圧力表示部を確認することが容易となる。
【００１２】
また、
前記固定部材は、可撓性を有すると共に、前記容器本体が挿入される容器本体挿入部と、前記腕部が挿入される腕部挿入部と、を備え、
前記容器本体挿入部は、前記容器本体が有する前記収容室の数に対応して設けられていると好適である。
【００１３】
本構成によれば、例えば容器本体が複数の収容室を有する場合であっても、容器本体挿入部によって容器本体及びこれに連結された吐出部材を適切に保持することが可能となる。そして、使用者は、腕部挿入部によって容器本体及びこれに連結された吐出部材を適切に保持することが可能となる。また、このような容器本体挿入部および吐出部材を備える固定部材が可撓性を有していることにより、容器本体の大きさが異なる場合、又は、使用者が異なることにより腕部の大きさが異なる場合であっても、ガス供給装置を適切に使用することが可能となる。
【００１４】
また、
前記容器本体挿入部は、前記容器本体の周囲を覆う筒状に形成されると共に、その内部に前記容器本体を挿入可能に構成され、
前記腕部挿入部は、前記腕部の周囲を覆う筒状に形成されると共に、その内部に前記腕部を挿入可能に構成され、
前記容器本体挿入部の軸心と前記腕部挿入部の軸心とが互いに平行となるように、前記容器本体挿入部と前記腕部挿入部とが並んで配置されていると好適である。
【００１５】
本構成によれば、ガス供給装置が腕部の長さ方向に沿う方向に大型化することを抑制でき、使用者による遊泳の自由度を適切に担保することが可能となる。
【００１６】
また、
前記容器本体は、前記収容室を複数並列に並べられた状態で有し、
前記容器本体挿入部は、複数の前記収容室に応じて複数形成されていると好適である。
【００１７】
本構成によれば、装置全体として収容可能なガスの容量を多くできると共に、複数の収容室を有する容器本体を適切に保持することができる。
【００１８】
前記腕部挿入部は、内周長を調整する調整部を備えていると好適である。
【００１９】
本構成によれば、腕部挿入部の内周長を使用者の腕部の太さに合わせて調整することができ、使用者が異なることにより腕部の太さが異なる場合であっても、ガス供給装置を適切に使用することが可能となる。
【００２０】
本開示に係る技術のさらなる特徴と利点は、図面を参照して記述する以下の例示的かつ非限定的な実施形態の説明によってより明確になるであろう。
【図面の簡単な説明】
【００２１】
【図１】ガス供給装置の正面図
【図２】図１におけるＩＩ−ＩＩ断面図
【図３】固定部材の斜視図
【図４】図１におけるＩＶ矢視図
【図５】図１におけるＶ矢視図であり、吐出部材のみを示している
【図６】ガス供給装置を使用する際の使用者の動きを示す図
【図７】使用者がガス供給装置からガスの供給を受けている様子を示す図
【発明を実施するための形態】
【００２２】
〔実施形態〕
ガス供給装置１の実施形態の一例を、図面を参照して説明する。図１に示すように、ガス供給装置１は、酸素を含有するガスを収容する収容室２１を有する容器本体２と、収容室２１に収容されたガスの圧力を調整すると共に調整されたガスを当該収容室２１の外部に吐出する吐出部材３と、を備えている。
【００２３】
図１及び２に示すように、容器本体２は、収容室２１を覆う壁部２２を有している。収容室２１は、酸素を含有するガスを高圧状態で収容する。収容室２１に収容されるガスは、酸素を含有するガス、又は酸素ガスそのものであっても良い。本実施形態では、収容室２１は、酸素や窒素等を含有する空気を高圧状態で収容する。従って、収容室２１が空となった場合、或いは、収容室２１内のガスが少なくなった場合には、圧縮させた空気を収容室２１に収容することで、収容室２１の内部をガスで満たすことができる。
【００２４】
ガス供給装置１は、このようなガスを当該ガス供給装置１の使用者９（図６参照）に供給するように構成されている。ガス供給装置１は、防災用、医療用として用いることが可能であるが、潜水用として用いると好適である。吐出部材３は、いわゆるレギュレータであり、容器本体２の収容室２１に充填されている高圧状態のガス（高圧空気）を、使用者９の潜水深度に合った圧力に減圧して吐出する。
【００２５】
本実施形態では、容器本体２は、収容室２１を複数並列に並べられた状態で有している。図示の例では、容器本体２は、並列に並べられた２つの収容室２１を有しており、２つの収容室２１が合流する合流部２３を更に有している。合流部２３は、上述の収容室２１を覆う壁部２２によって覆われており、容器本体２における吐出部材３が連結している側に形成されている。換言すれば、合流部２３は、収容室２１と吐出部材３との間に形成されている。これにより、容器本体２が複数の収容室２１を有する場合であっても、１つの吐出部材３によってガスを吐出可能な構成を実現できる。
【００２６】
図１に示すように、容器本体２と吐出部材３とは、互いに連結されて一体化されている。図示は省略するが、容器本体２と吐出部材３との連結部分には、例えばパッキン等の封止部材が設けられている。これにより、容器本体２と吐出部材３との連結部分は、ガス漏れがないように封止されている。
【００２７】
図１、４及び５に示すように、吐出部材３は、使用者９が口部９１（図６参照）にくわえることが可能な給気部３１を備えている。使用者９は、給気部３１をくわえた状態でガスの供給を受けることができる。本実施形態では、給気部３１は、容器本体２と吐出部材３との連結方向に交差する方向に向かって突出するように設けられている。図示の例では、給気部３１は、上記の連結方向に対して直交する方向に向かって突出するように設けられている。
【００２８】
本実施形態では、給気部３１は、吐出部材３の側面３Ｆに設けられている。本例では、吐出部材３は、高圧状態のガスを減圧する調圧機構が内部に備えられた本体部３０を有しており、給気部３１は、本体部３０から突出して設けられている。なお、図５では、説明の便宜上、吐出部材３のみを示している。
【００２９】
ここでは、吐出部材３の側面３Ｆは、吐出部材３と容器本体２とが並ぶ方向に対して直交する方向を向く面である。本実施形態では、給気部３１を除く吐出部材３の外径（本体部３０の外径）は、概ね円柱状に形成されている。従って、本実施形態において、吐出部材３の側面３Ｆは、円筒状に形成された外周面である。但し、このような構成に限定されることなく、吐出部材３は、多角柱状（例えば四角柱状や五角柱状など）に形成されていても良い。この場合、吐出部材３は複数の側面を有し、複数の側面のうちいずれかの側面（側面３Ｆ）に、給気部３１が設けられる。なお、図５に示すように、本体部３０の端面には、複数の圧力調整孔３２が形成されている。使用者９がガス供給装置１を用いて遊泳している際には、複数の圧力調整孔３２を介して本体部３０の内部に水が案内される。これにより、本体部３０の内部に設けられたダイヤフラム（不図示）が弾性的に変形（湾曲）して、本体部３０の内部の圧力が適切に保たれる。
【００３０】
本実施形態では、給気部３１は、本体部３０から突出する管状の給気路３１Ａと、給気路３１Ａの端部で開口する給気口３１Ｂと、使用者９によって噛み込み挟持される噛み込み部３１Ｃと、給気口３１Ｂ及び噛み込み部３１Ｃを覆うと共に使用者９がガスの供給を受ける際に給気口３１Ｂから吐出されるガスが漏れないように構成されたカバー部３１Ｄと、を有している。詳細には、カバー部３１Ｄは、使用者９がガスの供給を受ける際に、当該使用者９の口部９１の周りを覆うように構成されており、ガス供給時のガス漏れを抑制可能となっている。上記の構成により、本体部３０の調圧機構で減圧されたガスが、給気路３１Ａを通って給気口３１Ｂから吐出し、使用者９の口部９１の内部に供給される。また、使用者９は、噛み込み部３１Ｃを噛み込み挟持することによって、手を使うことなく、顎の力のみで給気部３１をくわえた状態を維持することができる。なお、本体部３０は、逆止弁を備えた排気路（不図示）を備えており、排気路を介して使用者９の呼気を排出可能であると共に、逆止弁によって本体部３０の内部に水が逆流することを抑制可能となっている。
【００３１】
本実施形態では、吐出部材３は、収容室２１の内部の圧力を表示する圧力表示部３３を備えている。これにより、使用者９は、ガスの残量を確認することができ、安全に遊泳することができる。なお、本例では、圧力表示部３３は、圧力変化に応じて揺動する指針を有するアナログ式に構成されている。但し、このような構成に限定されることなく、圧力表示部３３は、ガスの残量を数値や記号などによって示すデジタル式に構成されていても良い。
【００３２】
ここで、従来のガス供給装置を潜水用として用いた場合、使用者は、ガス供給装置からガスの供給を受けない際には当該ガス供給装置を口から離して手で持つ状態となる。この状態では、ガス供給装置を持つ手に自由が利かず、遊泳に支障をきたす可能性があった。一方、使用者が、ガス供給装置を手で持つことなく常に口でくわえた状態を維持しようとすると、水の抵抗に耐えきれずにガス供給装置を口から離してしまう可能性が高く、この場合にも、遊泳に支障をきたす可能性があった。
【００３３】
そこで、本開示に係るガス供給装置１は、図１〜３、及び６に示すように、容器本体２を使用者９の腕部９２に固定するための固定部材４を更に備えている。この構成によれば、図６及び７に示すように、使用者９は、ガスの供給を受けたい場合には、腕部９２を動かして容器本体２と一体となっている吐出部材３を口部９１に近づけることにより、当該吐出部材３から吐出されるガスの供給を受けることができる。そして、ガスの供給を受けない場合には、容器本体２が固定されている腕部９２を含め、両腕を自由に使うことができ、遊泳の自由度を向上させることが可能となる。更に、このような構成から、使用者９は、遊泳中に給気部３１を常に口でくわえる必要がないため、例えば、給気部３１について、上述の噛み込み部３１Ｃを備えない構成とすることもできる。本実施形態では、容器本体２は、固定部材４によって、使用者９の腕部９２のうちの前腕部に固定されるように構成されている。換言すれば、容器本体２は、使用者９の腕部９２における、手関節と肘関節との間に固定されるように構成されている。更に、本実施形態では、固定部材４は、容器本体２を使用者９の腕部９２に対して直接的に固定するように構成されている。但し、直接的な固定でなく、間接的な固定であっても良い。例えば、固定部材４は、吐出部材３を使用者９の腕部９２に固定することによって、容器本体２を当該腕部９２に対して間接的に固定するようにしても良い。また、このような間接的な固定は、例えば、容器本体２と吐出部材３との連結部分を腕部９２に固定することによって行うものであっても良い。
【００３４】
本実施形態では、固定部材４は、可撓性を有すると共に、容器本体２が挿入される容器本体挿入部４Ａと、腕部９２が挿入される腕部挿入部４Ｂと、を備えている。図２及び３に示すように、容器本体挿入部４Ａと腕部挿入部４Ｂとは、連結部４Ｃにより互いに連結されている。図示の例では、容器本体挿入部４Ａと腕部挿入部４Ｂとは、連結部４Ｃを間に挟んで配置されている。
【００３５】
本例では、容器本体挿入部４Ａは、ゴム製のバンド部材により構成されている。図２に示すように、当該バンド部材が、筒状を成すと共にその表面および裏面に形成された第１接着部４１Ａによって接着することにより、容器本体挿入部４Ａが形成されている。そして、腕部挿入部４Ｂも、容器本体挿入部４Ａと同様に構成されており、第２接着部４２Ｂを有している。本実施形態では、第１接着部４１Ａ及び第２接着部４２Ｂは、面ファスナーにより構成されている。但し、このような構成に限定されることなく、第１接着部４１Ａ及び第２接着部４２Ｂは、脱着可能に構成されていれば良く、例えば、凹凸を有して互いに嵌合する嵌合部などによって構成されていても良い。本例では、第１接着部４１Ａは、バンド部材の長手方向に沿って形成されており、容器本体挿入部４Ａの内周長を調整可能となっている。同様に、第２接着部４２Ｂは、バンド部材の長手方向に沿って形成されており、腕部挿入部４Ｂの内周長を調整可能となっている。このように、容器本体挿入部４Ａ及び腕部挿入部４Ｂは、内周長を調整する調整部を備えており、本実施形態では、第１接着部４１Ａ及び第２接着部４２Ｂのそれぞれが、調整部に相当する。
【００３６】
本実施形態では、容器本体挿入部４Ａは、容器本体２の周囲を覆う筒状に形成されると共に、その内部に容器本体２（収容室２１）を挿入可能に構成されている。そして、腕部挿入部４Ｂは、腕部９２の周囲を覆う筒状に形成されると共に、その内部に腕部９２を挿入可能に構成されている。本例では、図２及び３に示すように、容器本体挿入部４Ａの軸心ＸＡと腕部挿入部４Ｂの軸心ＸＢとが互いに平行となるように、容器本体挿入部４Ａと腕部挿入部４Ｂとが並んで配置されている。これにより、容器本体２が複数の収容室２１を備える場合であっても、使用者９の腕部９２にガス供給装置１が装着された際に、当該ガス供給装置１が腕部９２の長さ方向に沿う方向に大型化することを抑制できる。従って、使用者９による遊泳の自由度を適切に担保することが可能となる。
【００３７】
容器本体挿入部４Ａは、容器本体２が有する収容室２１の数に対応して設けられている。上述のように、本実施形態では、容器本体２は、複数（本例では２つ）の収容室２１を有しているため、容器本体挿入部４Ａは、複数（本例では２つ）の収容室２１に応じて複数（２つ）形成されている。
【００３８】
図１及び２に示すように、本実施形態では、ガス供給装置１は、容器本体２に対して固定部材４を適切な位置に位置決めするための位置決め部材５を備えている。位置決め部材５は、容器本体２に装着される。位置決め部材５は、収容室２１の数に対応して備えられており、本例では、２つの収容室２１に対応して２つ備えられている。図示の例では、位置決め部材５は、収容室２１を覆う壁部２２の周囲に装着される環状の装着部５１と、当該装着部５１の外周面に設けられて固定部材４を係止する係止部５２と、を有している。
【００３９】
係止部５２は、１つの装着部５１に対して複数（本例では２つ）設けられており、装着部５１との間に、固定部材４が挿入される空間、詳細には、容器本体挿入部４Ａを形成するバンド部材が挿入される空間を形成している（図２参照）。容器本体挿入部４Ａを形成するバンド部材が、装着部５１と係止部５２との間の空間に挿入されつつ、上述の第１接着部４１Ａが接着することで、固定部材４が容器本体２に対して位置決めされる。この位置決め部材５によって、固定部材４の位置決めをできることの他、容器本体２が固定部材４（或いは腕部９２）から脱落することを抑制することも可能となっている。
【００４０】
ここで、図６を参照して上述したように、ガス供給装置１を使用する使用者９は、腕部９２を動かして容器本体２と一体となっている吐出部材３を口部９１に近づけることにより、ガスの供給を受けることが可能となっている。しかし、使用者９の腕部９２の長さは人それぞれであり、腕部９２の長さによっては、給気部３１を口部９１に近づける際の腕部９２の角度が異なることとなる。そのため、使用者９によっては、ガスの供給を受けようとする場合に給気部３１の姿勢、本例では、人の口の形状に合わせて形成された噛み込み部３１Ｃ及びカバー部３１Ｄの姿勢が、給気に適切な姿勢とならない場合がある。
【００４１】
そこで、本実施形態では、図１、４及び５に示すように、給気部３１は、姿勢変更機構３１Ｅを有し、当該姿勢変更機構３１Ｅによって、突出方向の変更及び当該突出方向周りの回転の少なくとも一方の姿勢変更が可能に構成されている。図示の例では、姿勢変更機構３１Ｅは、管状に形成された給気路３１Ａに対して、当該給気路３１Ａの軸心まわりに回転自在に連結されている。そして、姿勢変更機構３１Ｅは、給気口３１Ｂ、噛み込み部３１Ｃ、及びカバー部３１Ｄと共に一体回転する。これにより、姿勢変更機構３１Ｅは、噛み込み部３１Ｃ及びカバー部３１Ｄを回転可能に構成されている。このように、本例では、姿勢変更機構３１Ｅは、給気部３１を回転させることによって、換言すれば、給気部３１を突出方向周りに回転させることによって、当該給気部３１の姿勢を変更する。
【００４２】
また、本実施形態では、上述の圧力表示部３３は、給気部３１と並んで配置されている。これにより、圧力表示部３３を給気部３１に近づけて配置することができ、図７に示すように、使用者９は、給気部３１からガスの供給を受ける一連の動作において、圧力表示部３３を確認することが容易となっている。
【００４３】
以上説明したガス供給装置１によれば、使用者９は、ガスの供給を受けたい場合には、腕部９２を動かして容器本体２と一体となっている吐出部材３を口部９１に近づけることにより、当該吐出部材３から吐出されるガスの供給を受けることができる。そして、ガスの供給を受けない場合には、容器本体２が固定されている腕部９２を含め、両腕を自由に使うことができ、遊泳の自由度を向上させることが可能となる。
【００４４】
〔その他の実施形態〕
次に、ガス供給装置１のその他の実施形態について説明する。
【００４５】
（１）上記の実施形態では、容器本体２が、収容室２１を複数並列に並べられた状態で有している例について説明した。しかし、このような例に限定されることなく、複数の収容室２１は、互いに異なる角度に傾いた状態で並べられていても良い。
【００４６】
（２）上記の実施形態では、容器本体２が、２つの収容室２１を有している例について説明した。しかし、このような例に限定されることなく、容器本体２は、収容室２１を１つのみ有していても良いし、３つ以上有していても良い。また、収容室２１が１つのみの場合、固定部材４の容器本体挿入部４Ａに関しても、１つのみであると好適である。そして、収容室２１が３つ以上ある場合、容器本体挿入部４Ａに関しても、３つ以上であると好適である。
【００４７】
（３）上記の実施形態では、姿勢変更機構３１Ｅが、給気部３１を回転させることによって、当該給気部３１の姿勢を変更するように構成されている例について説明した。しかし、このような例に限定されることなく、姿勢変更機構３１Ｅは、例えば、蛇腹状のフレキシブルホースによって構成されて、任意に変更された形状を維持可能に構成されていても良い。これにより、給気部３１の姿勢を３次元的に変更可能となる。すなわち、給気部３１は、姿勢変更機構３１Ｅによって、突出方向の姿勢変更が可能に構成されていても良い。
【００４８】
（４）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【産業上の利用可能性】
【００４９】
本開示に係る技術は、酸素を含有するガスを使用者に供給するためのガス供給装置に利用することができる。
【符号の説明】
【００５０】
１      ：ガス供給装置
２      ：容器本体
３      ：吐出部材
３Ｆ    ：側面
４      ：固定部材
４Ａ    ：容器本体挿入部
４Ｂ    ：腕部挿入部
２１    ：収容室
３１    ：給気部
３１Ｅ  ：姿勢変更機構
３３    ：圧力表示部
９      ：使用者
９１    ：口部
９２    ：腕部
ＸＡ    ：軸心
ＸＢ    ：軸心
【図１】
2020165497.tif 000003
【図２】
2020165497.tif 000004
【図３】
2020165497.tif 000005
【図４】
2020165497.tif 000006
【図５】
2020165497.tif 000007
【図６】
2020165497.tif 000008
【図７】
2020165497.tif 000009
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
酸素を含有するガスを収容する収容室を有する容器本体と、前記収容室に収容された前記ガスの圧力を調整すると共に調整された前記ガスを当該収容室の外部に吐出する吐出部材と、を備えて、使用者に前記ガスを供給するガス供給装置であって、
前記容器本体と前記吐出部材とは、互いに連結されて一体化され、
前記容器本体を使用者の腕部に固定するための固定部材を更に備え、
前記固定部材は、可撓性を有すると共に、前記容器本体が挿入される容器本体挿入部を備え、
前記容器本体挿入部は、前記容器本体の周囲を覆う筒状に形成されると共に、その内部に前記容器本体を挿入可能に構成され、
前記容器本体挿入部は、前記容器本体における軸方向の一部の領域の周囲を覆うように構成され、前記容器本体が、前記容器本体挿入部に対して前記軸方向の両側に突出しているガス供給装置。
【請求項２】
前記固定部材は、可撓性を有すると共に、前記腕部が挿入される腕部挿入部を備え、
前記腕部挿入部は、前記腕部の周囲を覆う筒状に形成されると共に、その内部に前記腕部を挿入可能に構成され、
前記容器本体挿入部の軸心と前記腕部挿入部の軸心とが互いに平行となるように、前記容器本体挿入部と前記腕部挿入部とが並んで配置され、
前記容器本体挿入部と前記腕部挿入部とが連結部により互いに連結され、
前記容器本体挿入部が、前記軸方向における前記腕部挿入部の存在範囲内に配置されている請求項１に記載のガス供給装置。
【請求項３】
前記容器本体挿入部と前記腕部挿入部との前記軸方向における存在範囲が、同等である請求項２に記載のガス供給装置。
【請求項４】
前記腕部挿入部は、内周長を調整する調整部を備えている請求項２又は３に記載のガス供給装置。
【請求項５】
前記容器本体は、前記収容室を複数並列に並べられた状態で有し、
前記容器本体挿入部は、複数の前記収容室に応じて複数形成されている請求項１から４のいずれか一項に記載のガス供給装置。
【請求項６】
前記容器本体は、複数の前記収容室が合流する合流部を更に有し、
複数の前記容器本体挿入部のそれぞれが、前記軸方向の同じ位置において、対応する前記収容室の周囲を覆うように構成され、
複数の前記容器本体挿入部のそれぞれに対して前記軸方向の一方側に、前記収容室の一部が突出しており、
複数の前記容器本体挿入部のそれぞれに対して前記軸方向の他方側に、前記合流部が配置されている請求項５に記載のガス供給装置。
【請求項７】
前記吐出部材は、使用者が口にくわえることが可能な給気部を備え、
前記給気部は、前記容器本体と前記吐出部材との連結方向に交差する方向に向かって突出するように設けられており、
前記給気部は、姿勢変更機構を有し、当該姿勢変更機構によって、突出方向の変更及び当該突出方向周りの回転の少なくとも一方の姿勢変更が可能に構成されている請求項１から６のいずれか一項に記載のガス供給装置。
【請求項８】
前記吐出部材は、前記収容室の内部の圧力を表示する圧力表示部を備え、
前記圧力表示部は、前記給気部と並んで配置されている請求項７に記載のガス供給装置。
【手続補正２】
【補正対象書類名】明細書
【補正対象項目名】００１３
【補正方法】変更
【補正の内容】
【００１３】
本構成によれば、例えば容器本体が複数の収容室を有する場合であっても、容器本体挿入部によって容器本体及びこれに連結された吐出部材を適切に保持することが可能となる。そして、使用者は、腕部挿入部によって容器本体及びこれに連結された吐出部材を適切に保持することが可能となる。また、このような容器本体挿入部および腕部挿入部を備える固定部材が可撓性を有していることにより、容器本体の大きさが異なる場合、又は、使用者が異なることにより腕部の大きさが異なる場合であっても、ガス供給装置を適切に使用することが可能となる。